(57)【要約】【課題】カメラと有機的に関連させることで、面倒な作業を必要とすることなく写真付きアクセサリーを作成することのできるカメラ一体型アクセサリー作成装置を提供する。【解決手段】使い捨て用のカメラ本体１０と、当該カメラ本体１０の後部側に位置するとともに当該カメラ本体１０から分離可能となる装飾部品１１とを含む。この装飾部品１１は、フィルムＦを保持するとともに、当該フィルムＦの横に現像液収容袋５１が配置されている。シャッター機構１６を介して撮影を行った後に、装飾部品１１の一部をなすチェーン４７に連結された押圧部材５５のロール軸５６で現像液収容袋５１を破断することで、フィルムＦの現像を行うことができ、現像済みのフィルムＦは、装飾部品１１と共にカメラ本体１０から取り出され、当該装飾部品１１と共にペンダント等として携帯できる。【選択図】図１
2010107626.tif 000002
【特許請求の範囲】
【請求項１】
カメラ本体と、当該カメラ本体の後部位置でフィルムを保持する装飾部品とを備え、当該装飾部品は、カメラ本体と分離可能に設けられているとともに、当該カメラ本体から独立した写真付きアクセサリーを形成可能に設けられていることを特徴とするカメラ一体型アクセサリー作成装置。
【請求項２】
前記装飾部品は、フィルムを保持するフレームと、このフレームに接続された吊り下げ部材とを含むことを特徴とする請求項１記載のカメラ一体型アクセサリー作成装置。
【請求項３】
前記装飾部品は、前記フィルムの外周側に位置するフレームと、このフレームの内側に着脱自在に設けられて前記フィルムの後面側を支持するプレート部材と、当該プレート部材に連結された吊り下げ部材とを含むことを特徴とする請求項１記載のカメラ一体型アクセサリー作成装置。
【請求項４】
前記吊り下げ部材は、前記フレーム若しくはプレート部材に連結された状態で、前記カメラ本体の内外に延びていることを特徴とする請求項２又は３記載のカメラ一体型アクセサリー作成装置。
【請求項５】
前記フィルムは現像液収容袋と共に透明な包装袋に収容された状態で前記装飾部品に保持されていることを特徴とする請求項１，２，３又は４記載のカメラ一体型アクセサリー作成装置。
【請求項６】
前記現像液収容袋に押圧力を付与して当該収容袋を破断させる押圧部材が前記吊り下げ部材に連結されていることを特徴とする請求項５記載のカメラ一体型アクセサリー作成装置。
【請求項７】
前記カメラ本体はスロットを備え、当該スロットを通じて前記装飾部品がカメラ本体から抜き出して分離可能に設けられていることを特徴とする請求項１ないし６の何れかに記載のカメラ一体型アクセサリー作成装置。
【請求項８】
前記カメラ本体は、一端を開放する第１の箱体と、この第１の箱体の開放側を閉蓋可能な第２の箱体とからなり、これら第１及び第２の箱体の何れか一方の内面側にシャッター機構が設けられるとともに、何れか他方に装飾部品が収容されていることを特徴とする請求項１ないし６の何れかに記載のカメラ一体型アクセサリー作成装置。
【請求項９】
前記カメラ本体の後部側にミシン目を形成して当該カメラ本体と分離可能なフレームを形成し、当該フレームが前記装飾部品のフレームとして利用されることを特徴とする請求項２ないし６の何れかに記載のカメラ一体型アクセサリー作成装置。
【請求項１０】
前記カメラ本体は後端を開放する形状とされ、当該カメラ本体の後端を前記装飾部品のフレーム内に分離可能な状態で嵌め込んでカメラ本体と装飾部品とが一体化されることを特徴とする請求項１ないし６の何れかに記載のカメラ一体型アクセサリー作成装置。
【発明の詳細な説明】
【技術分野】
【０００１】
本発明はカメラ一体型アクセサリー作成装置に係り、特に、写し取った写真をその場で現像若しくは表出させて写真付きネックレスや、携帯電話用ストラップ等に利用することに適したインスタントタイプのカメラ一体型アクセサリー作成装置に関する。
【背景技術】
【０００２】
一般に、ネックレスや、携帯電話用ストラップ等のアクセサリーは、チェーン、紐等からなる吊り下げ部材に装飾部品を保持する構成が採用されている。この装飾部品としては、フレームや、透明な複層プレート間に写真を収納若しくは挟み込む構成が知られている（例えば、特許文献１参照）。
【特許文献１】特開２００７−７５４０９号公報
【発明の開示】
【発明が解決しようとする課題】
【０００３】
特許文献１におけるアクセサリーは、カメラと有機的に関連することなく独立したものとなっている。そのため、アクセサリーを構成するフレームのサイズに合うように写真を小さく切り取る作業が必要になるだけでなく、切り取った写真をフレームに保持させる作業も必要となり、簡易な手法による手製のアクセサリーを作成することができない、という不都合がある。
しかも、写真は、フレーム内に収まる平面サイズに制約されるため、適用可能な写真は、その一部の領域が用いられるに過ぎない。従って、例えば、人物を被写体としたときに、その背景等の周辺若しくは状況を含ませることも困難になる。
また、親しい仲間同士で行楽地へ外出したり、歓談した際に、その場で、写真付きのアクセサリーを作成して相手方に記念品として贈答するようなニーズに対応することは不可能なものとなっている。
【０００４】
［発明の目的］
本発明は、このような不都合に着目して案出されてものであり、その目的は、カメラと有機的に関連させることで、面倒な作業を必要とすることなく写真付きアクセサリーを作成することのできるカメラ一体型アクセサリー作成装置を提供することにある。
また、本発明の他の目的は、仲間同士で写し撮った写真を、記念品として相手方に贈答することに適したカメラ一体型アクセサリー作成装置を提供することにある。
【課題を解決するための手段】
【０００５】
前記目的を達成するため、本発明は、カメラ本体と、当該カメラ本体の後部位置フィルムを保持する装飾部品とを備え、当該装飾部品は、カメラ本体と分離可能に設けられているとともに、当該カメラ本体から独立した写真付きアクセサリーを形成可能に設けられる、という構成を採っている。
【０００６】
前記装飾部品は、フィルムを保持するフレームと、このフレームに接続された吊り下げ部材とを含んで構成することができる。
【０００７】
また、前記装飾部品は、前記フィルムの外周側に位置するフレームと、このフレームの内側に着脱自在に設けられて前記フィルムの後面側を支持するプレート部材と、当該プレート部材に連結された吊り下げ部材とを含む構成を採るとよい。
【０００８】
更に、前記吊り下げ部材は、前記フレーム若しくはプレート部材に連結された状態で、前記カメラ本体の内外に延びる、という構成を採ることが好ましい。
【０００９】
また、前記フィルムは現像液収容袋と共に透明な包装袋に収容された状態で前記装飾部品に保持される、という構成を採っている。
【００１０】
更に、前記現像液収容袋に押圧力を付与して当該収容袋を破断させる押圧部材が前記吊り下げ部材に連結されている。
【００１１】
また、前記カメラ本体はスロットを備え、当該スロットを通じて前記装飾部品がカメラ本体から抜き出して分離可能に設けられる、という構成を採ることもできる。
【００１２】
更に、前記カメラ本体は、一端を開放する第１の箱体と、この第１の箱体の開放側を閉蓋可能な第２の箱体とからなり、これら第１及び第２の箱体の何れか一方の内面側にシャッター機構が設けられるとともに、何れか他方に装飾部品が収容されるように設けてもよい。
【００１３】
また、前記カメラ本体の後部側にミシン目を形成して当該カメラ本体と分離可能なフレームを形成し、当該フレームが前記装飾部品のフレームとして利用される、という構成とすることもできる。
【００１４】
更に、前記カメラ本体は後端を開放する形状とされ、当該カメラ本体の後端を前記装飾部品のフレーム内に分離可能な状態で嵌め込んでカメラ本体と装飾部品とが一体化されるようにしてもよい。
【発明の効果】
【００１５】
本発明によれば、所定の操作によって撮影を行った後に、装飾部品をカメラから取り出すことで、写真付きアクセサリーとして利用することが可能となる。
また、装飾部品がフレームと吊り下げ部材とを含む構成であれば、ネックレスや、ストラップ等として利用可能となり、写真を常に身近に携帯することができる。
更に、装飾部品がフィルムの後面側を支持するプレート部材を備えた構成であれば、フィルムの平面形状を安定して維持することができるとともに、フィルムが破断するようなおそれを回避することができる。
また、吊り下げ部材がカメラの内外に延びている構成では、カメラ一体型アクセサリー作成装置を商品として店頭に陳列する際に、吊り下げ部材を引っかけて陳列することができる。しかも、吊り下げ部材がネックレスとして適用できる長さであれば、首に掛けてカメラ一体型アクセサリー作成装置を携帯することもできる。
更に、現像液収容袋がフィルムと共に装飾部品に保持された構成では、収容袋を押圧して破断させることで撮影直後に現像を行うことができる。この際、吊り下げ部材に押圧部材を設けておくことで、当該押圧部材により、収容袋の破断を行うことが可能となる。
また、カメラ本体にスロットを設けて当該スロットから装飾部品が抜き出して分離可能な構成では、容易且つ迅速にカメラ本体と装飾部品との分離を行うことができる。
更に、前記カメラ本体を第１及び第２の箱体により構成してシャッター機構と装飾部品とを選択的に収容する構成では、カメラ一体型アクセサリー作成装置の組み立てを容易に行うことが可能となる。
また、前記カメラ本体の後部側にミシン目を形成して装飾部品のフレームとして利用する構成により、部品点数の削減を図ることができる。
カメラ本体の後端を装飾部品のフレーム内に嵌め込む構成では、両者の一体化が容易となる。
【発明を実施するための最良の形態】
【００１６】
以下、本発明の好ましい実施形態を、図面を参照しながら詳細に説明する。
【００１７】
図１には、本実施形態に係るカメラ一体型アクセサリー作成装置の概略斜視図が示され、図２には、図１のＡ−Ａ線矢視断面図が示されている。また、図３には、図１の分解斜視図が示されている。これらの図において、カメラ一体型アクセサリー作成装置は、カメラ本体１０と、当該カメラ本体１０内でフィルムＦを保持するとともにカメラ本体１０と分離可能に設けられた装飾部品１１（図２参照）とを備えて構成されている。
【００１８】
前記カメラ本体１０は、図３にも示されるように、本体ケース１５と、この本体ケース１５内に配置されるシャッター機構１６と、当該シャッター機構１６の後部に位置して前記装飾部品１１を所定位置に保つ前部スペーサ１７及び後部スペーサ１９とを備えて構成されている。このカメラ１０を構成する各部材は、特に限定されるものではないが、本実施形態では、それぞれ厚紙によって形成されている。
【００１９】
前記本体ケース１５は、所定形状に型抜き若しくは切り取られた厚紙を折り曲げることによって略直方体形状に組み立てられており、その後面側に位置する蓋片２１は、一方の側面２２の後端に連なり、他端が自由端として開閉可能に設けられている。本体ケース１５の前面２４には、当該前面２４の中心よりも幅方向一端側に幾分シフトした位置を中心とする円形の穴２４Ａが形成されている一方、上面２６の前部には、カメラ１５の幅方向に沿って延びるスリット２８が形成されている。また、底面２９の後端部には、左右一対の切欠部２９Ａが形成されている。
【００２０】
前記シャッター機構１６は、本体ケース１５における前面２４の内面（後面）側に接着される略方形の外形を有する前部シート３１と、この前部シート３１の後面に接着されるとともに、平面形状が略Ｃ字状となる枠シート３３と、当該枠シート３３と略同一面内に位置するとともに上端が枠シート３３の上端より突出する片状のシートシャッター３５と、枠シート３３の後面に接着されるとともに前部シート３１と略同一の外形を有する後部シート３４と、この後部シート３４に接着されるピンホールシート３６とを含む。なお、これらのシートは、本体ケース１５内の所定位置に保つことができれば接着することを要しない。
【００２１】
前部シート３１の面内には、本体ケース１５に設けられた穴２４Ａに一致する穴３１Ａが形成されている一方、後部シート３４の面内には、穴３１Ａに対応する領域に位置して当該穴３１Ａよりも小径に設けられた穴３４Ａが形成されている。また、ピンホールシート３６は、穴３４Ａに対応する領域に位置するピンホール３６Ａを備えて構成されている。ここで、穴３１Ａ、３４Ａはシートシャッター３５の存在によって透過光を遮断するように設けられており、シートシャッター３５を上方に引き上げたときに、各穴３１Ａ、３４Ａ、３６Ａが開通して内部すなわちフィルムＦ側に光束を導入できるようになっている。
【００２２】
前記シートシャッター３５は、下部幅方向両端から突出する一対のストッパ３８を備えており、当該ストッパ３８が枠シート３３の上片３３Ａに引っ掛かり可能に設けられることで上方への抜き出しが阻止される。
【００２３】
前部スペーサ１７は、略方形の打抜窓４０Ａを有する窓形成面４０と、この窓形成面４０の幅方向両端から前方に向かって折り曲げられた一対の側面４１と、これら側面４１の前端に連なるとともに相互に接近する方向に折り曲げられた前部屈曲面４３とを備え、平面視で略コ字状となるように設けられている。打抜窓４０Ａは、その中心に前述した穴２４Ａ等の中心が位置するように設けられており、当該打抜窓４０Ａの下部幅方向一端側には、窓形成面４０を部分的に切除して形成されたスロット４０Ｂが形成されている。
【００２４】
後部スペーサ１９は、適宜な厚紙や、シートを扁平な直方体形状に組み立てることによって構成されている。この後部スペーサ１９は、本体ケース１５の蓋片２１の内面側に接着することができる。
【００２５】
前記装飾部品１１は、フィルムＦを保持する額縁状のフレーム４５と、このフレーム４５の後部内側に着脱自在に設けられるとともに、前記フィルムＦの後面側を支持するプレート部材４６と、当該プレート部材４６に連結された吊り下げ部材としてのチェーン４７とを含む。本実施形態では、装飾部品１１にフィルムＦの後述する現像機能が付与されているが、紙を剥離することで画像が得られるピールアパート型と称されるタイプの場合には、現像機能を設けなくてもよい。
【００２６】
前記フィルムＦは、図４及び図５に示されるように、側端がポケット状に開放する透明な包装袋５０内に現像液収容袋５１と共に収容されている。包装袋５０はフィルムＦと現像液収容袋５１を同一面内に並べて内部に収容した状態でポケットが封止されるようになっており、当該包装袋５０の外周が前記フレーム４５の内周に脱落不能となる状態で保持され、これにより、フィルムＦがフレーム４５に保持される。なお、包装袋５０は、二枚のフィルムシートを重ね合わせ、それらの三縁を溶着等の手段で封止して袋状に形成したものでもよい。
【００２７】
前記プレート部材４６は、ここでは詳細構造を省略しているが、その外周がフレーム４５の内周に嵌合可能に設けられてフィルムＦの後面支持面として作用する。このプレート部材４６の後面幅方向二箇所には、リング突起５３が設けられており、これらリング突起５３にチェーン４７の各端部がそれぞれ取り付けられるようになっている。
【００２８】
前記チェーン４７は、本体ケース１５の底面２９に形成された切欠部２９Ａを通じて本体ケース１５の内外に延びるように設けられており、このチェーン４７の中間部には、前記現像液収容袋５１に押圧力を付与して当該収容袋５１を破断させる押圧部材５５が連結されている。この押圧部材５５は、押圧力を付与するための丸軸状のロール部５６と、このロール部５６の外周部分から突出するとともに、押圧力を付与する際の掴み代としても作用する板状部５７とからなる。押圧部材５５は、板状部５７の先端側二箇所に形成された穴５７Ａにチェーン４７を通すことで当該チェーン４７に一体化されている。なお、押圧部材５５は、金属若しくは樹脂成形品等からなり、ネックレスの一部を構成する装飾機能を有する。
【００２９】
次に、本実施形態におけるカメラ１０の組立方法とアクセサリー作成方法について、図６及び図７をも参照しながら説明する。
【００３０】
カメラ１０の組立に際しては、本体ケース１５を略直方体状に組み立てる前の段階で、前面２４の内面側に前部シート３１、枠シート３３を順次貼付し、この枠シート３３内にシートシャッター３５を配置した状態で、後部シート３４を枠シート３３に貼付する。そして、後部シート３４の穴３４Ａの領域内にピンホール３６Ａが位置するようにピンホールシート３６を後部シート３４に貼付する。なお、本体ケース１５の蓋片２１の内面側に後部スペーサ１９を接着させておくとよい。
【００３１】
このようにして各貼付を終了した状態で、本体ケース１５を略直方体状に組み立てた後、前部スペーサ１７を本体ケース１５内に入れ、装飾部品１１を前部スペーサ１７の後面側に配置する。この際、前部スペーサ１７の前部屈曲面４３の前面側を後部シート３４の後面側に接着してもよい。
次いで、装飾部品１１のプレート部材４６に連結されているチェーン４７を、本体ケース１５の切欠部２９Ａ内に受容させた状態で、蓋片２１を閉塞させることでカメラ一体型アクセサリー作成装置を形成することができる。なお、装飾部品１１は、フィルムＦが感光しないように、図示しない遮光シートで被覆されており、本体ケース１５内への配置作業は、暗室内で遮光シートを除去して行われることとなる。
【００３２】
写真撮影を行ってアクセサリーを作成するときは、図６に示されるように、カメラ１０を被写体に向けた姿勢で、シートシャッター３１の上端を摘んで上方に引き上げればよい。シートシャッター３１の下端がピンホール３６Ａの位置に対して上方に引き上げられたとき（図７参照）に、当該ピンホール３６Ａを光束が通り抜けてフィルムＦへの撮影を行うことができる。
【００３３】
このようにして撮影を終了した後に、前記蓋片２１を開放するとともに、プレート部材４６をフレーム４５から外し、前部スペーサ１７における打抜窓４７Ａの側部に位置する平面部分を支持面としてプレート部材４６を裏返して一時的に載せる。この際、プレート部材４６に設けられたリング突起５３は、前部スペーサ１７のスロット４０Ｂ内に位置可能となり、これにより、プレート部材４６を裏返した際の部材相互の干渉は生じない。
【００３４】
プレート部材４６が外されると、現像液収容袋５１とフィルムＦを収容した包装袋５０が表出し、当該包装袋５０が透明であることから、現像液収容袋５１を透視できることとなる。そこで、前記押圧部材５５の板状部５７を摘み、ロール部５６で現像液収容袋５１に押圧力を付与して破断させる。この破断は現像液を包装袋５０内で流動させることとなり、これによってフィルムＦの現像を行うことができる。なお、現像液収容袋５１を破断したときに、前記プレート部材４６を元の位置に戻し、所定時間、例えば、１分程度経過した後に、装飾部品１１をカメラ本体１０から取り出すことで、良好な写真付きのアクセサリーを得ることができる。
【００３５】
従って、このような実施形態によれば、カメラで撮影を行った直後に現像液収容袋５１を破断させる作業を行うだけでフィルムＦの現像を行うことができ、装飾部品１１をカメラ本体１０から取り出してネックレスとして利用することが可能になる、という効果を得る。
【００３６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３７】
例えば、前記実施形態では、装飾部品１１の取り出しが本体ケース１５の蓋片２１を開放することにより行われる場合を図示、説明したが、本発明はこれに限らず、カメラ本体１０の外面にスロットを形成し、当該スロットから装飾部品を抜き出してカメラ本体から分離できる構成を採用してもよい。この場合、撮影後に装飾部品１１をスロットから抜き出して現像液をフィルム側に流す前述の操作を行うこととなる。
【００３８】
また、前記カメラ本体は、一端を開放する第１の箱体と、この第１の箱体の開放側を閉蓋可能な第２の箱体との二部材からなり、これら第１及び第２の箱体の何れか一方の内面側にシャッター機構を設けるとともに、何れか他方に装飾部品１１を収容して撮影できるようにしてもよい。
【００３９】
更に、カメラ本体の後部側を装飾部品のフレームとして利用可能とし、当該装飾部品を形成する領域をミシン目によってカメラ本体と区分し、撮影を行った後に、ミシン目にてカメラ本体と装飾部品とを分離して現像を行い、当該装飾部品をアクセサリーとすることも可能である。
【００４０】
また、カメラ本体１０は、蓋片２１を有しないタイプとし、当該カメラ本体の後端を装飾部品のフレーム内に嵌め込んで一体化させ、撮影終了後にこれらを分離できるようにしてもよい。
【００４１】
更に、前記吊り下げ部材としてチェーン４７を用いたが、紐状の部材に代替することでもよい、また、チェーン４７は、プレート部材４６に連結される場合に限らず、フレーム４５に連結してもよい。
また、本発明に係るカメラ一体型アクセサリー作成装置は、いわゆる使い捨てに適したものであるが、装飾部品１１をカートリッジタイプとして提供することにより、カメラ本体１０を反復継続的に利用することもできる。この場合には、カメラ本体１０は、耐久性を備えた材料、例えば、樹脂成形品等によって形成することが好ましい。
要するに、本発明は、撮影と、撮影直後にアクセサリーを作成できるものである限り、種々の設計変更を行うことができる。
【図面の簡単な説明】
【００４２】
【図１】本実施形態に係るカメラ一体型アクセサリー作成装置の概略斜視図。
【図２】図１のＡ−Ａ線矢視断面図。
【図３】図１の分解斜視図。
【図４】フィルム及び現像液収容袋を包装袋に収容した状態を示す概略斜視図。
【図５】図４のＢ−Ｂ線矢視断面図。
【図６】シャッターシートがピンホールを閉塞した状態を示すカメラ本体の概略正面図。
【図７】シャッターシートがピンホールを開放した状態を示すカメラ本体の概略正面図。
【符号の説明】
【００４３】
１０  カメラ本体
１１  装飾部品
１６  シャッター機構
４５  フレーム
４７  チェーン（吊り下げ部材）
４６  プレート部材
５０  包装袋
５１  現像液収容袋
５５  押圧部材
Ｆ  フィルム
【図１】
2010107626.tif 000003
【図２】
2010107626.tif 000004
【図３】
2010107626.tif 000005
【図４】
2010107626.tif 000006
【図５】
2010107626.tif 000007
【図６】
2010107626.tif 000008
【図７】
2010107626.tif 000009